(57)【要約】      （修正有）【課題】シーツ交換時に脱着がスムーズにでき、簡便性に優れ日常的に不快要素となるたくし皺をできにくくする敷布団シーツを提供する。【解決手段】敷布団カバーシーツの型状を上下空洞にして空間部に敷布団を設置し、上下空洞口の折り返し部分に伸縮性のあるゴム状にすることで内部敷布団が安定して、縦両サイドにパイピングを施することにより使用平面上により一層の張り感をもたせることができる。速脱・速着性を得られることが第一義と考え、暑冷性に合った材質の選択と、必要に応じた色彩の選択をも合せもたせるようにする。【選択図】図２
0003154987.tif 000002
【実用新案登録請求の範囲】
【請求項１】
敷布団シーツとして張りのある表面と、長時間シーツのより皺やたくし皺を直すことなく使用することが可能な生地素材として、取り扱いが便利で、洗濯しやすく防臭・防塵・防静電気・防汚濁・耐久性・軽量性・弾力性及び強度に優れている材質が望ましい。暑期用としての素材用布は綿７０対、麻類もしくは代用となるものを２８対、ポリエステル系２の割合で良いとする。暑期用として放熱・吸湿・放湿性が重要であると考える。寒冷用として吸温・保温・放湿が重要であり、綿系７０対・絹・ウール系もしくは代用となるものを２５対・ポリエステル系５の割合で用いるのが良い。シーツ表面の一層のハリ感をもたせるために、ポリエステル系にウレタンを混紡させたものを使っても良い。また生地にソフト感をもたせるため微起毛を施したり、織地をパイル地にすることによりソフト感をもたせることができるが、毛玉等ができたりする場合があるので、主に従来よりの織地を適宜活用する方法を取る。尚、色調は白色系を基調とする。
【請求項２】
シーツの縦両側面に施するパイピングの芯部となるパイプには、比較的強度がありながら弾力性に優れている素材を使用する。表面生地には摩滅率が低いバイアス生地を用いるのが適当であり、色彩はシーツに合うようにする。
【請求項３】
敷布団用シーツを双重空洞型にして、内布団を安定的にするのに空洞口から敷布団サイズより長目に取った折り込み部に施するゴム状の部分は、極少に伸縮するゴム素材でも良いが、生地そのものに伸縮性をもたせられる加工を施してもよい。
【考案の詳細な説明】
【技術分野】
【０００１】  本考案は敷布団カバーシーツに関する。
【背景技術】
【０００２】  一枚の平面仕様の布を敷布団に掛ける敷布団用カバーシーツが主流であるが、ボックス
0003154987.tif 000003
方の従来型敷布団用カバーシーツである。他にシーツとシーツカバーとして兼用できる片側ファスナー式があるが、脱着が簡易でなかったり就寝中のたくしよりによって出来るより皺などの難点をもっている。【０００３】  改善策としてシーツ交換時に脱着がスムーズにでき、簡便性に優れ日常的に不快要素となるたくし皺を出来にくくすることが求められる。
【考案の開示】
【考案が解決しようとする課題】
【０００４】  日常家事一環の一部労働であるシーツ交換は、迅速性と煩労からの解放と、尚且つ、愈愈からの忌避が求められる。
【課題を解決するための手段】
【０００５】  シーツの型状を従来の一枚平面仕様のものから双重空洞型式にして、敷布団をそのままスッポリと双重になった空間部に入れ、空洞口サイドから引き伸すようにして敷布団本体を双重空間部の中に設置する。空洞口は敷布団サイズより長目に取り内側に折り込むようにする。空洞口は伸縮をもたせたゴム状のものを付着することにより空洞口が安定する。普通一般用として敷布団と同サイズのもので良いが、縦側両サイドには縁の強化と生地の歪みを直すためのパイピング加工を施する。
【考案の効果】
【０００６】  これによって本考案が求めるところの敷布団シーツ交換はスムーズに速脱着することができ、家事労働の迅速性が得られ、シーツが就寝中にたくしよじれたり、皺が出来にくくなりシーツの表面の張り状態が容易に長時間持続することができる。このことによって、
0003154987.tif 000004
【考案を実施するための最良の形態】
【０００７】  本考案が示す敷布団カバーシーツは、シーツに使用する用布を双重空洞型に縫製することと、上下の折り込み部用に長目に取った部分に伸縮性のあるゴム状のものを付着させるか、或はそのまま余分に取った上下両サイドを折り込むようにして布団の寸法に合せる。縦側両サイドは０．５センチから１センチ程度のパイピング化工を施し、両サイドになる位置を明確にさせ、尚且つ、生地の摩滅を押えることができるようにする。この方法により内布団が安定した状態で保持することができ、上下の空洞があることにより多少の隙間からの通気性も確保でき、就寝中の動きによってできるたくし皺もよりにくくなり表面の張り感が持続し、見栄えも良い効果が得られる。【０００８】  本考案の基本ベースとなる生地素材として使用適切とするのは、暑期用として主に綿系対、麻系もしくは代用となるもの対、ポリエステル系を使用する。寒冷用として綿系対、絹・ウール系もしくは代用となるもの対、ポリエステル系の割合が綿系を７割位にするのが望ましい。色調は白系を基調とした無地を使用するが、地模様を適宜配することで、単一的なシーツ表面を視覚観点から精神的な安眠効果のあるものにすることも可能である。
【実施例】
【０００９】  本考案は常に敷布団本体とカバーシーツが一体となるので、布団を干す時も内布団本体とカバーシーツを取り外さなくても、そのまま一度に両方干すことが可能である。【００１０】  本考案は布団を敷く時、いちいちカバーシーツを掛け直す手間を省略することが出き、家事の時間も短縮される利点がある。
産業上の利用可能性【００１１】  本考案は平成１８年当時一考案として（財）京都高度技術研究所の相談窓口に提案し、平成２０年５月より（社）発明協会で指導を受けながら本考案を実用新案として願書を提出する期に至った。本考案は寝具の一パターンであり、協会員の方の指導で試作品を製作するのに寝具メーカーでは大手であるメーカーにあたり、書簡をもって打診したが断わられたが、現在一件のメーカーに販売はできないが縫製は承諾頂いている。本考案は寝具製品として販売できる可能性をもたせたものであり、商品価値として優れたものを目指すものです。現在では市場販売されていないので、市場採用での可能性は大きく期待できる。【００１２】  この不況下において従来は大量生産主義であったし、現在もどのような需要と供給のバランスになっているのか非常に問題は多いと考えられる。その中で少ロットによる生産と、消費者と対話のできるような商品として販売するのが肝要であり、従来の大方の販売法は消費者が買った後は消費者に委ねた方法が主であったが、一点の商品に対し消費者が一モニターとして、一商品が販売から消費、消耗、又はリサイクルの時点での適切な対応に責任がもてる商品として利用価値のあるものにしたい。
【図面の簡単な説明】
【００１３】
【図１】  内布団安定保持型双重敷布団シーツの平面図である。
【図２】  敷布団本体にカバーシーツをかけた斜平面図である。
【図３】  本考案シーツの洞口部側面図と拡大図である。
【図４】  本考案シーツの縦側折込断面図、拡大図である。
【符号の説明】
【００１４】  １  空洞口
２  折り返し部分
３  パイピング部
４  敷布団縦サイズカバーシーツ側面
５  ゴム状伸縮部分
６  内敷布団本体部
【図１】
0003154987.tif 000005
【図２】
0003154987.tif 000006
【図３】
0003154987.tif 000007
【図４】
0003154987.tif 000008
【手続補正書】
【提出日】平成21年5月1日(2009.5.1)
【手続補正１】
【補正対象書類名】実用新案登録請求の範囲
【補正対象項目名】全文
【補正方法】変更
【補正の内容】
【実用新案登録請求の範囲】
【請求項１】
内布団安定保持型双重敷布団シーツであり、平面仕様の布地を二重に裏合せ双重にし、敷布団を双重になった空洞口、選択図２の１部分から出し入れできる様に敷布団サイズの空間部を作り、空洞口１を上下両サイドとして縦側長辺部の約９／１程度の長さを要した折り返し部、選択図２の２は敷布団を空間部に入れた際に安定的に固定できるよう上下空洞口両端を内側に折り込み、上下空洞口両端には選択図２の５部分にあるような伸縮性をもたせた部分を供し、選択図２の４縦側長辺部には、縁布部分をパイピングで施する形状を特徴とする内布団安定保持型双重敷布団シーツにおいて、
Ａ）上記の形状をもつシーツは、敷布団シーツとして張りのある表面と、長時間シーツのより皺やたくし皺を直すことなく安定的に使用することが可能な生地を素材として、耐洗濯、脱水性・排水性・耐久性・防塵性・耐汚濁・防帯電・防臭性・軽量性・弾力性及び経済性に優良的である材質として、暑期用には綿７０対、麻・竹類もしくは代用となるものを２８対、ポリエステル系２の割合で、放熱・放湿性を重視し、寒冷用として吸温・保温・放湿が必要であり、綿糸系７０対、絹・ウール系もしくは代用となるもの２５対、ポリエステル系５の割合とし、シーツ表面の伸縮性と脱弛性を高める為、ポリエステル系にウレタン系を混紡したものとする。
Ｂ）上記の形状をもつ敷布団シーツは、清潔感・安眠性・精神安定・快覚性のある色調として、使用素材生地は白色系を基調としたシーツ。
Ｃ）上記の形状をもつ敷布団シーツは、Ａに記載の寒冷用生地としてパイル地及びカットパイル地を表面に用い、ソフト感があり毛玉のでき無い高密度経編織をしたパイル・カットパイル地を使用するシーツ。
【請求項２】
請求項１記載の敷布団シーツであり、選択図２．４の縦側長辺部にはパイピングを施する形状をなし、パイピング芯部に用いるパイプには比較的強度があり、柔軟性のある素材を使用し、このパイプを覆う布地としては、摩滅率が低く強度のあるバイアス生地を用いることを特徴とする内布団安定保持型双重敷布団シーツ。
【請求項３】
請求項１記載の敷布団シーツであって、選択図２の５部分にある内布団を出し入れする上下空洞口両端に、伸縮性のあるゴム状嵩高多層構造織部分を施することを特徴とした内布団安定保持型双重敷布団シーツ。
【手続補正書】
【提出日】平成21年8月1日(2009.8.1)
【手続補正１】
【補正対象書類名】実用新案登録請求の範囲
【補正対象項目名】全文
【補正方法】変更
【補正の内容】
【実用新案登録請求の範囲】
【請求項１】
内布団安定保持型双重敷布団シーツであり、平面仕様の布地を二重に裏合せ双重にし、敷布団を双重になった両空洞口のどちらからでも出し入れできる様に敷布団サイズの空間部を作り、空洞口を上下両サイドとして縦側長辺部の約９／１程度の長さを要した折り返し部を、敷布団を空洞口より空間部に入れた際に安定的に固定できるように上下空洞口両端を内側に折り込み、上下空洞口両端にある伸縮性をもたせたゴム状の部分で敷布団を内部に固定することができ、縦側長辺部の両端側の縁布部分をパイピング加工した形状を特徴とする内布団安定保持型双重敷布団シーツにおいて、
（Ａ）上記の形状をもつシーツは、敷布団シーツとして張りのある表面と、長時間シーツのより皺やたくし皺を直すことなく安定的に使用することが可能な生地を素材として、耐洗濯、脱水性・軽量性・弾力性・耐久性・防塵性・耐汚濁・防帯電・防臭性・及び経済的に優良である材質として、暑期用には綿７０対、麻・竹類もしくは代用となるものを２８対、ポリエステル系２の割合で、放熱・放湿性を重視し、寒冷用としては吸温・保温・放湿が必要であり、綿糸系７０対、絹・ウール系もしくは代用となるもの２５対、ポリエステル系５の割合とし、シーツ表面の伸縮性と脱弛性を高める為、ポリエステル系にウレタン系を混紡したものとする、
（Ｂ）上記の形状をもつ敷布団シーツは、使用生地の色調として、清潔感、安眠性、精神安定性、快覚性のある白色系を用いる、
（Ｃ）上記の形状をもつ敷布団シーツは、Ａに記載の寒冷用生地としてパイル地及びカットパイル地を表面に用い、ソフト感があり毛玉のでき無い高密度経編織をしたパイル・カットパイル地を使用する、
以上からなる敷布団シーツ。
【請求項２】
請求項１記載の敷布団シーツであり、縦側長辺部にはパイピング加工を施した形状をなし、パイピング芯部に用いるパイプには比較的強度があり、柔軟性のある素材を使用し、このパイプを覆う布地としては、摩滅率が低く強度のあるバイアス生地を用いることを特徴とする内布団安定保持型双重敷布団シーツ。
【請求項３】
請求項１記載の敷布団シーツであり、内入れ敷布団を出し入れする上下空洞口両端に、伸縮性のあるゴム状部分あるいは、ゴム状嵩高多層構造織部分を施することを特徴とした内布団安定保持型双重敷布団シーツ。